(57)【要約】
【課題】すでに土台や梁に連結している柱に継手を装着して、連結部の強度を著しく向上する。建前工程の能率を改善しながら、連結強度を向上する。
【解決手段】　建物は、隅柱１Ａの上下両端を嵌合構造で土台２Ａと梁２Ｂとに連結し、かつ、隅柱１Ａの上下両端を金属板からなる隅継手３Ａを介して土台２Ａと梁２Ｂとに連結している。隅継手３Ａは、隅柱１Ａに連結される柱連結部３ａと、土台２Ａまたは梁２Ｂである水平構造材２を嵌入して連結する水平構造材連結部３ｂとを備える。さらに、隅継手３Ａは、柱１を水平構造材２に嵌合構造で連結する状態で柱１を通過させて、隅継手３Ａを水平構造材２Ａと柱１とに嵌合できる柱通過隙間３ｄを設けている。水平構造材連結部３ｂと柱連結部３ａは止孔１４を設けており、この止孔１４に止ネジ１３を挿通して水平構造材２を水平構造材連結部３ｂに、柱１を柱連結部３ａに連結している。
【選択図】図４
0003099307.tif 000002
【実用新案登録請求の範囲】
【請求項１】
　隅柱(1A)の上下両端を嵌合構造で土台(2A)と梁(2B)とに連結し、かつ、隅柱(1A)の上下両端を金属板からなる隅継手(3A)を介して土台(2A)と梁(2B)とに連結しており、
　隅継手(3A)は、隅柱(1A)に連結される柱連結部(3a)と、土台(2A)または梁(2B)であるＬ字状の水平構造材(2)を嵌入して連結する水平構造材連結部(3b)とを設けており、
　隅柱(1A)の下端と土台(2A)を連結する隅継手(3A)は、隅柱(1A)を土台(2A)に嵌合構造で連結する状態で隅柱(1A)を通過させて、隅継手(3A)を土台(2A)と隅柱(1A)とに嵌合できる柱通過隙間(3d)を設けており、
　隅柱(1A)の上端と梁(2B)を連結する隅継手(3A)は、隅柱(1A)を梁(2B)に嵌合構造で連結する状態で隅柱(1A)を通過させて、隅継手(3A)を梁(2B)と隅柱(1A)とに嵌合できる柱通過隙間(3d)を設けており、
　水平構造材連結部(3b)と柱連結部(3a)は止孔(14)を設けており、この止孔(14)に止ネジ(13)を挿通して水平構造材(2)を水平構造材連結部(3b)に、柱(1)を柱連結部(3a)に連結してなる建物。
【請求項２】
　隅柱(1A)に隣接して土台(2A)と梁(2B)に垂直に固定される中間柱(1B)の下端を土台(2A)に、上端を梁(2B)に嵌合構造で連結すると共に、中間柱(1B)の上下両端を金属板からなる中間継手(3B)を介して土台(2A)と梁(2B)とに連結しており、
　中間継手(3B)は、中間柱(1B)に連結される柱連結部(3a)と、この柱連結部(3a)の両側に突出するように連結されて、土台(2A)または梁(2B)である直線状の水平構造材(2)を嵌入する水平構造材連結部(3b)とを設けており、
　中間柱(1B)の下端と土台(2A)を連結する中間継手(3B)は、中間柱(1B)を土台(2A)に嵌合構造で連結する状態で中間柱(1B)を通過させて、中間継手(3B)を土台(2A)と中間柱(1B)とに嵌合できる柱通過隙間(3d)を設けており、
　中間柱(1B)の上端と梁(2B)を連結する中間継手(3B)は、中間柱(1B)を梁(2B)に嵌合構造で連結する状態で中間柱(1B)を通過させて、中間継手(3B)を梁(2B)と中間柱(1B)とに嵌合できる柱通過隙間(3d)を設けており、
　水平構造材連結部(3b)と柱連結部(3a)は止孔(14)を設けており、この止孔(14)に止ネジ(13)を挿通して水平構造材(2)を水平構造材連結部(3b)に、柱(1)を柱連結部(3a)に連結してなる建物。
【請求項３】
　隅柱(1A)に隣接して土台(2A)と梁(2B)に垂直に固定される中間柱(1B)の下端を土台(2A)に、上端を梁(2B)に嵌合構造で連結すると共に、中間柱(1B)の上下両端を金属板からなる中間継手(3B)を介して土台(2A)と梁(2B)とに連結しており、
　中間継手(3B)は、中間柱(1B)に連結される柱連結部(3a)と、この柱連結部(3a)の両側に突出するように連結されて、土台(2A)または梁(2B)である直線状の水平構造材(2)を嵌入する水平構造材連結部(3b)とを設けており、
　中間柱(1B)の下端と土台(2A)を連結する中間継手(3B)は、中間柱(1B)を土台(2A)に嵌合構造で連結する状態で中間柱(1B)を通過させて、中間継手(3B)を土台(2A)と中間柱(1B)とに嵌合できる柱通過隙間(3d)を設けており、
　中間柱(1B)の上端と梁(2B)を連結する中間継手(3B)は、中間柱(1B)を梁(2B)に嵌合構造で連結する状態で中間柱(1B)を通過させて、中間継手(3B)を梁(2B)と中間柱(1B)とに嵌合できる柱通過隙間(3d)を設けており、
　水平構造材連結部(3b)と柱連結部(3a)は止孔(14)を設けており、この止孔(14)に止ネジ(13)を挿通して水平構造材(2)を水平構造材連結部(3b)に、柱(1)を柱連結部(3a)に連結してなる請求項１に記載される建物。
【請求項４】
　貫通孔または凹部である被嵌入部(8)を一方に設け、この被嵌入部(8)に嵌入される挿入部(9)を他方に設けて、挿入部(9)を被嵌入部(8)に入れて連結する嵌合構造で、柱(1)の上下を梁(2B)と土台(2A)とに連結している請求項１又は２に記載される建物。
【請求項５】
　水平構造材連結部(3b)が、水平構造材(2)の水平面内における対向面に接する一対の側壁(31)と、一対の側壁(31)を連結する連結プレート(32)とを備えており、柱連結部(3a)は、柱(1)の外側に接する外側プレート(33)を備えている請求項１又は２に記載される建物。
【請求項６】
　隅継手(3A)と中間継手(3B)とに筋かい連結部(3c)を設けており、この筋かい連結部(3c)は止孔(14)を設けており、止孔(14)に止ネジ(13)を挿通して筋かい(5)を連結して、筋かい(5)を、隅柱(1A)の上下の隅継手(3A)と、この隅柱(1A)に隣接して配設される中間柱(1B)の上下の中間継手(3B)とに連結してなる請求項３に記載される建物。
【請求項７】
　土台(2A)と梁(2B)のコーナーに嵌合構造で連結される隅柱(1A)の下端と上端を土台(2A)と梁(2B)に連結する隅柱(1A)用の継手であって、
　隅柱(1A)の表面に接して隅柱(1A)に連結される柱連結部(3a)と、この柱連結部(3a)の直角の２方向に突出するように連結されて、土台(2A)または梁(2B)であるＬ字状の水平構造材(2)を嵌入する水平構造材連結部(3b)とを備え、
　水平構造材連結部(3b)は、水平構造材(2)の水平面内における対向面に接する一対の側壁(31)と、一対の側壁(31)を連結する連結プレート(32)とを備え、柱連結部(3a)は、隅柱(1A)の外側に接する外側プレート(33)を備えており、
　隅柱(1A)の下端を土台(2A)に連結するものは、隅柱(1A)を土台(2A)に嵌合構造で連結する状態で隅柱(1A)を通過させて、継手を土台(2A)と隅柱(1A)とに嵌合できる柱通過隙間(3d)を設けており、
　隅柱(1A)の上端を梁(2B)に連結するものは、隅柱(1A)を梁(2B)に嵌合構造で連結する状態で隅柱(1A)を通過させて、継手を梁(2B)と隅柱(1A)に嵌合できる柱通過隙間(3d)を設けており、
　水平構造材連結部(3b)と柱連結部(3a)は止孔(14)を設けており、この止孔(14)に止ネジ(13)を挿通して水平構造材(2)を水平構造材連結部(3b)に、柱(1)を柱連結部(3a)に連結する構造としており、
　隅柱(1A)の下端と上端とを土台(2A)と梁(2B)とに連結する状態で、隅柱(1A)と土台(2A)の連結部に装着され、さらに、隅柱(1A)と梁(2B)の連結部に装着されるようにしてなる隅柱(1A)用の継手である建物用の継手。
【請求項８】
　隅柱(1A)に隣接して土台(2A)と梁(2B)に嵌合構造で連結される中間柱(1B)の下端と上端を土台(2A)と梁(2B)に連結する中間柱(1B)用の継手であって、
　中間柱(1B)の表面に接して隅柱(1A)に連結される柱連結部(3a)と、この柱連結部(3a)の両側に突出するように連結されて、土台(2A)または梁(2B)である直線状の水平構造材(2)を嵌入する水平構造材連結部(3b)とを備え、
　水平構造材連結部(3b)は、水平構造材(2)の水平面内における対向面に接する一対の側壁(31)と、一対の側壁(31)を連結する連結プレート(32)とを備え、柱連結部(3a)は、中間柱(1B)の外側に接する外側プレート(33)を備えており、
　中間柱(1B)の下端を土台(2A)に連結するものは、中間柱(1B)を土台(2A)に嵌合構造で連結する状態で中間柱(1B)を通過させて、継手を土台(2A)と中間柱(1B)とに嵌合できる柱通過隙間(3d)を設けており、
　中間柱(1B)の上端を梁(2B)に連結するものは、中間柱(1B)を梁(2B)に嵌合構造で連結する状態で中間柱(1B)を通過させて、継手を梁(2B)と中間柱(1B)に嵌合できる柱通過隙間(3d)を設けており、
　水平構造材連結部(3b)と柱連結部(3a)は止孔(14)を設けており、この止孔(14)に止ネジ(13)を挿通して水平構造材(2)を水平構造材連結部(3b)に、柱(1)を柱連結部(3a)に連結する構造としており、
　中間柱(1B)の下端と上端とを土台(2A)と梁(2B)とに連結する状態で、中間柱(1B)と土台(2A)の連結部に装着され、さらに、中間柱(1B)と梁(2B)との連結部に装着されるようにしてなる中間柱(1B)用の継手である建物用の継手。
【請求項９】
　水平構造材連結部(3b)が対向する側壁(31)に止孔(14)を設けており、この止孔(14)に、土台(2A)又は梁(2B)を貫通する止ネジ(13)を挿通して、止ネジ(13)の両端を水平構造材連結部(3b)に連結して水平構造材連結部(3b)を水平構造材(2)に連結するようにしてなる請求項７又は８に記載される建物用の継手。
【請求項１０】
　柱連結部(3a)と水平構造材連結部(3b)に連結して筋かい連結部(3c)を設けている請求項７又は８に記載される建物用の継手。
【請求項１１】
　筋かい連結部(3c)を、柱連結部(3a)の外側プレート(33)と水平構造材連結部(3b)の一方の側壁(31)に連結している請求項１０に記載される建物用の継手。
【請求項１２】
　筋かい連結部(3c)に、筋かい連結部(3c)を止ネジ(13)で連結する止孔(14)を設けている請求項１０に記載される建物用の継手。
【請求項１３】
　柱連結部(3a)と水平構造材連結部(3b)と筋かい連結部(3c)とを１枚の金属板で製作している請求項７又は８に記載される建物用の継手。
【請求項１４】
　隅柱(1A)の下端を土台(2A)に連結する継手が、柱連結部(3a)から一方に突出する水平構造材連結部(3b)の下面を開口して上面を連結プレート(32)で連結し、柱連結部(3a)の内側と、柱連結部(3a)の他方に突出する水平構造材連結部(3b)は上下両面を開口して、土台(2A)に連結している隅柱(1A)を通過できる柱通過隙間(3d)を設けており、この柱通過隙間(3d)に、土台(2A)に固定している隅柱(1A)を通過させて、継手を土台(2A)と隅柱(1A)に嵌入できる構造としており、
　隅柱(1A)の上端を梁(2B)に連結する継手は、柱連結部(3a)から一方に突出する水平構造材連結部(3b)の上面を開口して下面を連結プレート(32)で連結し、柱連結部(3a)の内側と、柱連結部(3a)の他方に突出する水平構造材連結部(3b)は上下両面を開口して、梁(2B)に連結している隅柱(1A)を通過できる柱通過隙間(3d)を設けており、この柱通過隙間(3d)に、梁(2B)に固定している隅柱(1A)を通過させて、継手を梁(2B)と隅柱(1A)に嵌入できる構造としている請求項７に記載される建物用の継手。
【請求項１５】
　中間柱(1B)の下端を土台(2A)に連結する継手が、柱連結部(3a)から両方に突出する水平構造材連結部(3b)の下面を開口して上面を連結プレート(32)で連結し、かつ柱連結部(3a)の内側に位置する水平構造材連結部(3b)の上下両面と側壁(31)を開口して開口部分に柱通過隙間(3d)を設けており、この柱通過隙間(3d)に、土台(2A)に固定している中間柱(1B)を通過させて、継手を土台(2A)と中間柱(1B)に嵌入できる構造としており、
　中間柱(1B)の上端を梁(2B)に連結する継手は、柱連結部(3a)から両方に突出する水平構造材連結部(3b)の上面を開口して下面を連結プレート(32)で連結し、かつ柱連結部(3a)の内側に位置する水平構造材連結部(3b)の上下両面と側壁(31)を開口して開口部分に柱通過隙間(3d)を設けており、この柱通過隙間(3d)に、梁(2B)に固定している中間柱(1B)を通過させて、継手を梁(2B)と中間柱(1B)に嵌できる構造としている請求項８に記載される建物用の継手。
【請求項１６】
　柱連結部(3a)が、外側プレート(33)の内側に一対の対向プレート(34)を固定しており、対向プレート(34)は外側プレート(33)に対して直交すると共に、その間に中間柱(1B)を入れることができる間隔としており、対向プレート(34)の内側に中間柱(1B)を配設して、中間柱(1B)を対向プレート(34)に連結する構造としている請求項８に記載される建物用の継手。
【考案の詳細な説明】
【技術分野】
【０００１】
　本考案は、柱を土台と梁や梁等の水平構造材に継手で連結している建物と、すでに構築している建物の改築に使用される建物用の継手に関する。
【背景技術】
【０００２】
　現在の木造建築は、柱や梁等を、通称「切り組」と呼ばれる組構造で連結している。切り組は、一方には連結用の貫通孔や溝を設け、この貫通孔に挿通する凸起を他方に設けて連結する。この連結構造は、切り組の加工に、高度な専門の技術が要求されると共に、著しく手間がかかって、施工コストを高くしている。さらに、最も強度の要求される連結部分で、柱や梁等の構造材の一部を切除して連結する構造、すなわち、構造材の一部を断面欠損させる構造が、連結部分の強度を著しく低下させる原因となっている。それは、連結部分に一定以上の荷重がかかると、切り組で生じた弱い部分（断面欠損部分）が折れてしまい、建物が崩壊に向かうからである。すなわち、この構造が、木造建築の耐振性を低下させている。
【０００３】
　このような弊害を防止するために、梁や梁等の水平構造材連結部と柱とを連結する建築用の継手が開発されている（特許文献１ないし７参照）。
【０００４】
【特許文献１】実開昭５７−１６１６０９号公報
【特許文献２】実開昭５４−６９７１２号公報
【特許文献３】実開昭５２−７８３０３号公報
【特許文献４】実開平６−３２２８３８号公報
【特許文献５】実開昭５６−７６８０６号公報
【特許文献６】実開昭５２−７７５０５号公報
【特許文献７】実開昭５６−１０２３０４号公報
【考案の開示】
【考案が解決しようとする課題】
【０００５】
　これ等の公報に記載される継手は、柱と梁等の連結強度を強くして、耐震性を向上できる。しかしながら、これ等の公報に記載される継手は、柱を土台や梁に連結する工程で使用するように設計されたものであるから、土台や梁に連結された柱には装着できなかったり、あるいはこの状態で連結できる構造のものは、強固に連結できない欠点がある。したがって、すでに構築されている建物を改築して、耐震強度を相当に向上させることはできない。
【０００６】
　本考案者は、現実に柱や土台や梁を嵌合して連結する継手を開発して、現実に多数の建物を構築した。この構造の建物は、柱と土台や梁の連結部分に免震力を越えた荷重がかかったときに、崩壊に向かう力を継手で分散させて保護できるので建物の崩壊を有効に防止できる。ちなみに、この構造の建物は、第三者機関の実験において、在来工法の約４．８倍の強度があることが証明された。この構造の建物は、柱と土台や梁の連結強度を著しく向上できる特長がある。しかしながら、柱を土台や梁に連結して建物の躯体を構築する、いわゆる「建前」の工程に、継手を使用しない従来の工法に比較して著しく手間がかかった。継手を柱や土台等に嵌合するタイミングが特定され、このタイミングを間違うと継手を装着できなくなり、また、柱等に嵌合している継手を特定の位置に配置しながら、柱を土台や梁に連結するからである。さらに、継手で位置決めしながら柱を連結する構造は、継手を固定する位置を正確に調整する必要があって、このことによっても建前に手間がかかった。
【０００７】
　本考案は、さらに従来の建物の欠点を解決することを目的に開発されたものである。本考案の重要な目的は、すでに土台や梁に連結している柱に継手を装着して、連結部の強度を著しく向上できる建物と、すでに構築している建物の改築に使用できる建物用の継手を提供することにある。
　また、本考案の他の大切な目的は、既存の建物を改築して耐震強度を著しく向上できる建物と、建物用の継手を提供することにある。
　さらにまた、本考案の他の大切な目的は、建前工程の能率を改善しながら、連結強度を向上できる建物と、それに使用する建物用の継手を提供することにある。
【課題を解決するための手段】
【０００８】
　本考案の請求項１に記載される建物は、隅柱１Ａの上下両端を嵌合構造で土台２Ａと梁２Ｂとに連結し、かつ、隅柱１Ａの上下両端を金属板からなる隅継手３Ａを介して土台２Ａと梁２Ｂとに連結している。隅継手３Ａは、隅柱１Ａに連結される柱連結部３ａと、土台２Ａまたは梁２ＢであるＬ字状の水平構造材２を嵌入して連結する水平構造材連結部３ｂとを備える。隅柱１Ａの下端と土台２Ａを連結する隅継手３Ａは、隅柱１Ａを土台２Ａに嵌合構造で連結する状態で隅柱１Ａを通過させて、隅継手３Ａを土台２Ａと隅柱１Ａとに嵌合できる柱通過隙間３ｄを設けている。隅柱１Ａの上端と梁２Ｂを連結する隅継手３Ａは、隅柱１Ａを梁２Ｂに嵌合構造で連結する状態で隅柱１Ａを通過させて、隅継手３Ａを梁２Ｂと隅柱１Ａとに嵌合できる柱通過隙間３ｄを設けている。水平構造材連結部３ｂと柱連結部３ａは止孔１４を設けており、この止孔１４に止ネジ１３を挿通して水平構造材２を水平構造材連結部３ｂに、柱１を柱連結部３ａに連結している。　本明細書において、「梁」は桁を含む広い意味に使用する。
【０００９】
　本考案の請求項２に記載される建物は、隅柱１Ａに隣接して土台２Ａと梁２Ｂに垂直に固定される中間柱１Ｂの下端を土台２Ａに、上端を梁２Ｂに嵌合構造で連結すると共に、中間柱１Ｂの上下両端を金属板からなる中間継手３Ｂを介して土台２Ａと梁２Ｂとに連結している。中間継手３Ｂは、中間柱１Ｂに連結される柱連結部３ａと、この柱連結部３ａの両側に突出するように連結されて、土台２Ａまたは梁２Ｂである直線状の水平構造材２を嵌入する水平構造材連結部３ｂとを備える。中間柱１Ｂの下端と土台２Ａを連結する中間継手３Ｂは、中間柱１Ｂを土台２Ａに嵌合構造で連結する状態で中間柱１Ｂを通過させて、中間継手３Ｂを土台２Ａと中間柱１Ｂとに嵌合できる柱通過隙間３ｄを設けている。中間柱１Ｂの上端と梁２Ｂを連結する中間継手３Ｂは、中間柱１Ｂを梁２Ｂに嵌合構造で連結する状態で中間柱１Ｂを通過させて、中間継手３Ｂを梁２Ｂと中間柱１Ｂとに嵌合できる柱通過隙間３ｄを設けている。水平構造材連結部３ｂと柱連結部３ａは止孔１４を設けており、この止孔１４に止ネジ１３を挿通して水平構造材２を水平構造材連結部３ｂに、柱１を柱連結部３ａに連結している。
【００１０】
　本考案の請求項３に記載される建物は、請求項１に記載される建物であって、さらに、請求項２に記載される建物の特徴を備えている。すなわち、この建物は、隅柱１Ａの上下両端を嵌合構造で土台２Ａと梁２Ｂとに連結すると共に、隅柱１Ａの上下両端を、請求項１に記載される構造の隅継手３Ａを介して土台２Ａと梁２Ｂとに連結している。さらに、この建物は、隅柱１Ａに隣接して土台２Ａと梁２Ｂに垂直に固定される中間柱１Ｂの上下両端を嵌合構造で土台２Ａと梁２Ｂとに連結すると共に、中間柱１Ｂの上下両端を、請求項２に記載される構造の中間継手３Ｂを介して土台２Ａと梁２Ｂとに連結している。
【００１１】
　さらに、本考案の請求項４に記載される建物は、貫通孔または凹部である被嵌入部８を一方に設け、この被嵌入部８に嵌入される挿入部９を他方に設けて、挿入部９を被嵌入部８に入れて連結する嵌合構造で、柱１の上下を梁２Ｂと土台２Ａとに連結している。
【００１２】
　さらに、本考案の請求項５に記載される建物は、水平構造材連結部３ｂが、水平構造材２の水平面内における対向面に接する一対の側壁３１と、一対の側壁３１を連結する連結プレート３２とを備えている。さらに、柱連結部３ａは、柱１の外側に接する外側プレート３３を備えている。
【００１３】
　さらに、本考案の請求項６に記載される建物は、請求項３に記載される建物であって、隅継手３Ａと中間継手３Ｂとに筋かい連結部３ｃを設けている。この筋かい連結部３ｃは止孔１４を設けており、止孔１４に止ネジ１３を挿通して筋かい５を連結して、筋かい５を、隅柱１Ａの上下の隅継手３Ａと、この隅柱１Ａに隣接して配設される中間柱１Ｂの上下の中間継手３Ｂとに連結している。
【００１４】
　本考案の請求項７に記載される建物用の継手は、土台２Ａと梁２Ｂのコーナーに嵌合構造で連結される隅柱１Ａの下端と上端を土台２Ａと梁２Ｂに連結する隅柱１Ａ用の継手である。この継手は、隅柱１Ａの表面に接して隅柱１Ａに連結される柱連結部３ａと、この柱連結部３ａの直角の２方向に突出するように連結されて、土台２Ａまたは梁２ＢであるＬ字状の水平構造材２を嵌入する水平構造材連結部３ｂとを備える。水平構造材連結部３ｂは、水平構造材２の水平面内における対向面に接する一対の側壁３１と、一対の側壁３１を連結する連結プレート３２とを備える。柱連結部３ａは、隅柱１Ａの外側に接する外側プレート３３を備えている。隅柱１Ａの下端を土台２Ａに連結する継手は、隅柱１Ａを土台２Ａに嵌合構造で連結する状態で隅柱１Ａを通過させて、継手を土台２Ａと隅柱１Ａとに嵌合できる柱通過隙間３ｄを設けている。隅柱１Ａの上端を梁２Ｂに連結する継手は、隅柱１Ａを梁２Ｂに嵌合構造で連結する状態で隅柱１Ａを通過させて、継手を梁２Ｂと隅柱１Ａに嵌合できる柱通過隙間３ｄを設けている。水平構造材連結部３ｂと柱連結部３ａは止孔１４を設けており、この止孔１４に止ネジ１３を挿通して水平構造材２を水平構造材連結部３ｂに、柱１を柱連結部３ａに連結する構造としている。この継手は、隅柱１Ａの下端と上端とを土台２Ａと梁２Ｂとに連結する状態で、隅柱１Ａと土台２Ａの連結部に装着し、さらに、隅柱１Ａと梁２Ｂの連結部に装着する。
【００１５】
　本考案の請求項８に記載される建物用の継手は、隅柱１Ａに隣接して土台２Ａと梁２Ｂに嵌合構造で連結される中間柱１Ｂの下端と上端を土台２Ａと梁２Ｂに連結する中間柱１Ｂ用の継手である。この継手は、中間柱１Ｂの表面に接して隅柱１Ａに連結される柱連結部３ａと、この柱連結部３ａの両側に突出するように連結されて、土台２Ａまたは梁２Ｂである直線状の水平構造材２を嵌入する水平構造材連結部３ｂとを備える。水平構造材連結部３ｂは、水平構造材２の水平面内における対向面に接する一対の側壁３１と、一対の側壁３１を連結する連結プレート３２とを備える。柱連結部３ａは、中間柱１Ｂの外側に接する外側プレート３３を備えている。中間柱１Ｂの下端を土台２Ａに連結する継手は、中間柱１Ｂを土台２Ａに嵌合構造で連結する状態で中間柱１Ｂを通過させて、継手を土台２Ａと中間柱１Ｂとに嵌合できる柱通過隙間３ｄを設けている。中間柱１Ｂの上端を梁２Ｂに連結する継手は、中間柱１Ｂを梁２Ｂに嵌合構造で連結する状態で中間柱１Ｂを通過させて、継手を梁２Ｂと中間柱１Ｂに嵌合できる柱通過隙間３ｄを設けている。水平構造材連結部３ｂと柱連結部３ａは止孔１４を設けており、この止孔１４に止ネジ１３を挿通して水平構造材２を水平構造材連結部３ｂに、柱１を柱連結部３ａに連結する構造としている。この継手は、中間柱１Ｂの下端と上端とを土台２Ａと梁２Ｂとに連結する状態で、中間柱１Ｂと土台２Ａの連結部に装着し、さらに、中間柱１Ｂと梁２Ｂとの連結部に装着する。
【００１６】
　さらに、本考案の請求項９に記載される建物用の継手は、水平構造材連結部３ｂが、対向する側壁３１に止孔１４を設けており、この止孔１４に、土台２Ａ又は梁２Ｂを貫通する止ネジ１３を挿通して、止ネジ１３の両端を水平構造材連結部３ｂに連結して水平構造材連結部３ｂを水平構造材２に連結する。
【００１７】
　さらに、本考案の請求項１０に記載される建物用の継手は、柱連結部３ａと水平構造材連結部３ｂに連結して筋かい連結部３ｃを設けている。さらに、本考案の請求項１１に記載される建物用の継手は、筋かい連結部３ｃを、柱連結部３ａの外側プレート３３と水平構造材連結部３ｂの一方の側壁３１に連結している。さらに、本考案の請求項１２に記載される建物用の継手は、筋かい連結部３ｃに、筋かい連結部３ｃを止ネジ１３で連結する止孔１４を設けている。さらにまた、本考案の請求項１３に記載される建物用の継手は、柱連結部３ａと水平構造材連結部３ｂと筋かい連結部３ｃとを１枚の金属板で製作している。
【００１８】
　さらに、本考案の請求項１４に記載される建物用の継手は、請求項７に記載される建物用の継手であって、隅柱１Ａの下端を土台２Ａに連結する継手が、柱連結部３ａから一方に突出する水平構造材連結部３ｂの下面を開口して上面を連結プレート３２で連結し、柱連結部３ａの内側と、柱連結部３ａの他方に突出する水平構造材連結部３ｂは上下両面を開口して、土台２Ａに連結している隅柱１Ａを通過できる柱通過隙間３ｄを設けており、この柱通過隙間３ｄに、土台２Ａに固定している隅柱１Ａを通過させて、継手を土台２Ａと隅柱１Ａに嵌入できる構造としている。さらに、隅柱１Ａの上端を梁２Ｂに連結する継手は、柱連結部３ａから一方に突出する水平構造材連結部３ｂの上面を開口して下面を連結プレート３２で連結し、柱連結部３ａの内側と、柱連結部３ａの他方に突出する水平構造材連結部３ｂは上下両面を開口して、梁２Ｂに連結している隅柱１Ａを通過できる柱通過隙間３ｄを設けており、この柱通過隙間３ｄに、梁２Ｂに固定している隅柱１Ａを通過させて、継手を梁２Ｂと隅柱１Ａに嵌入できる構造としている。
【００１９】
　さらに、本考案の請求項１５に記載される建物用の継手は、請求項８に記載される建物用の継手であって、中間柱１Ｂの下端を土台２Ａに連結する継手が、柱連結部３ａから両方に突出する水平構造材連結部３ｂの下面を開口して上面を連結プレート３２で連結し、かつ柱連結部３ａの内側に位置する水平構造材連結部３ｂの上下両面と側壁３１を開口して開口部分に柱通過隙間３ｄを設けており、この柱通過隙間３ｄに、土台２Ａに固定している中間柱１Ｂを通過させて、継手を土台２Ａと中間柱１Ｂに嵌入できる構造としている。さらに、中間柱１Ｂの上端を梁２Ｂに連結する継手は、柱連結部３ａから両方に突出する水平構造材連結部３ｂの上面を開口して下面を連結プレート３２で連結し、かつ柱連結部３ａの内側に位置する水平構造材連結部３ｂの上下両面と側壁３１を開口して開口部分に柱通過隙間３ｄを設けており、この柱通過隙間３ｄに、梁２Ｂに固定している中間柱１Ｂを通過させて、継手を梁２Ｂと中間柱１Ｂに嵌できる構造としている。
【００２０】
　さらに、本考案の請求項１６に記載される建物用の継手は、請求項８に記載される建物用の継手であって、柱連結部３ａが、外側プレート３３の内側に一対の対向プレート３４を固定している。一対の対向プレート３４は、外側プレート３３に対して直交すると共に、その間に中間柱１Ｂを入れることができる間隔としている。この継手は、対向プレート３４の内側に中間柱１Ｂを配設して、中間柱１Ｂを対向プレート３４に連結する構造としている。
【考案の効果】
【００２１】
　本考案の建物と、建物用の継手は、すでに土台や梁に連結している柱に継手を装着して、連結部の強度を著しく向上できる特長がある。それは、本考案の建物と継手が、柱の上下を水平構造材である梁と土台に嵌合構造で連結すると共に、互いに連結された柱と水平構造材とに独特の構造の継手を連結して固定しているからである。この継手は、柱を水平構造材に嵌合構造で連結する状態で柱を通過させる柱通過隙間を設けており、この柱通過隙間に柱を通過させて、嵌合構造で連結している水平構造材と柱とに固定できるようにしている。この構造の継手は、既に連結している柱と水平構造材とに、簡単かつ容易に装着できる。このため、本考案の建物と継手は、柱と水平構造材とを嵌合構造で連結する工程を従来の工法で行うことができ、しかもこの工程で連結された柱と水平構造材とに、簡単に継手を連結して固定できる。したがって、本考案の建物と継手は、躯体を構築する手順やタイミングが複雑でなく、いいかえると建前工程の能率を改善しながら、これらの連結部の強度を著しく向上できる。さらに、本考案は、連結された状態の柱と水平構造材とに継手を連結してこれらの連結部分を補強するので、既存の建物を改築して耐震強度を著しく向上することも可能である。
【００２２】
　さらに、本考案の建物と、建物用の継手は、建物のコーナーに配設している隅柱の上下に固定された隅継手と、この隅柱に隣接して配設された中間柱の上下に固定された中間継手とを対角線状に筋かいで連結して、筋かいでもって、これらの継手を連結して極めて強靭な構造にできる特長もある。
【考案を実施するための最良の形態】
【００２３】
　以下、本考案の実施例を図面に基づいて説明する。ただし、以下に示す実施例は、本考案の技術思想を具体化するための具体例を例示するものであって、本考案は建物を下記のものに特定しない。
【００２４】
　さらに、この明細書は、実用新案登録請求の範囲を理解し易いように、実施の形態に示される部材に対応する番号を、「実用新案登録請求の範囲の欄」、および「課題を解決するための手段の欄」に示される部材に付記している。ただ、実用新案登録請求の範囲に示される部材を、実施の形態の部材に特定するものでは決してない。
【００２５】
　図１の概略斜視図に示す建物は、土台２Ａと梁２Ｂの４隅のコーナーに垂直に固定される隅柱１Ａの上下を隅継手３Ａで土台２Ａと梁２Ｂに連結している。さらに、隅柱１Ａに隣接して土台２Ａと梁２Ｂに連結される中間柱１Ｂも、その上下を中間継手３Ｂで土台２Ａと梁２Ｂに連結している。そして、隅継手３Ａと中間継手３Ｂを筋かい５で連結している。図の建物は、全てのコーナー部分に隅継手３Ａと中間継手３Ｂを設けているが、本考案の建物は、必ずしも全てのコーナー部分を隅継手と中間継手で連結する必要はない。さらに、図に示す建物は、内部に設けられる間仕切り壁６と外壁７との間にできるコーナー部の隅柱１Ａも、隅継手３Ａを介して土台２Ａと梁２Ｂに連結し、さらにこの隅柱１Ａに隣接する中間柱１Ｂを中間継手３Ｂで土台２Ａと梁２Ｂに連結している。このように、間仕切り壁６のコーナー部を隅継手３Ａと中間継手３Ｂで補強している構造は、耐震強度を著しく向上できる特長がある。ただ、間仕切り壁は、必ずしも隅継手と中間継手とで柱を水平構造材に連結する必要はない。
【００２６】
　本考案の建物は、継手３のみで柱１を土台２Ａや梁２Ｂに連結するのではない。柱１は、その上下を嵌合構造と継手３の両方で土台２Ａと梁２Ｂに連結される。柱１を土台２Ａや梁２Ｂに連結する嵌合構造は、貫通孔または凹部である被嵌入部を一方に設け、この被嵌入部に嵌入される挿入部を他方に設けて、挿入部を被嵌入部に入れて連結する従来の建物の連結構造である。
【００２７】
　図２と図３は建物の壁構造を示す。これ等の図に示す壁構造は、基礎４の上面に水平に固定された土台２Ａの上に、柱１を垂直に固定している。柱１は、隅継手３Ａと中間継手３Ｂを介して土台２Ａに連結されている。柱１の上端には、水平構造材２である梁２Ｂを固定している。水平構造材２も隅継手３Ａと中間継手３Ｂを介して柱１の上端に連結されている。柱１は、１間ないしは半間の間隔で、土台２Ａに垂直に固定されている。土台２Ａに固定される隅継手３Ａと中間継手３Ｂと、水平構造材２に連結される中間継手３Ｂと隅継手３Ａは、筋かい５で対角線状に連結されている。
【００２８】
　筋かい５は、隣接する柱１の間にＸ字状に交差して連結される。筋かい５は木製の角材で、中点で交差する部分に連結用の切込みを組み設け、切込みを互いに嵌入して、２本の筋かい５を同一平面に連結している。さらに、筋かい５は、クロス部分に、金属板の補強プレート１０を固定して、２本の筋かい５をより強固に固定している。補強プレート１０と、２本の筋かい５は、補強プレート１０と筋かい５を貫通する連結ボルト１１で連結されている。さらに、補強プレート１０から筋かい５に打ち込まれる釘で、補強プレート１０と筋かい５が強固に連結されている。
【００２９】
　土台２Ａは、基礎４の上面にアンカーボルト１２を介して固定されている。土台２Ａは、木製の角材で、寸法は、１０〜１２ｃｍ角で、長さは、２〜４ｍのものが用いられる。土台２Ａは、柱１の近傍、または継手３の付近でアンカーボルト１２を介して基礎４に緊結される。アンカーボルト１２は、土台２Ａが基礎４から浮き上がるのを防止して、土台２Ａを基礎４に固定する。アンカーボルト１２は、下端部を基礎４に垂直に埋設され、土台２Ａを貫通して、土台２Ａを基礎４に固定する。　
【００３０】
　柱１は正角の角材で、主に、すぎ、まつ、ひのき等の針葉樹が用いられる。寸法は９〜１２ｃｍ角で、長さは３〜４ｍが一般的で、２階建ての通し柱用には、主に６ｍのものが用いられる。
【００３１】
　水平構造材２である梁２Ｂは、柱１に水平に連結される。梁２Ｂは、建物の周囲に位置して、柱１の上端に連結され、さらに、周囲の梁２Ｂに対して直角に連結される。水平構造材２には、正角または平角の角材が多く用いられる。水平構造材２の長さは、３〜６ｍのものが一般的である。
【００３２】
　柱１は、下端を土台２Ａに、上端を梁２Ｂに連結される。柱１は、図４ないし図１３に示す隅継手３Ａと中間継手３Ｂを介して連結される。さらに、図の柱１は、嵌合構造で土台２Ａと梁２Ｂに連結される。図の嵌合構造は、柱１の上下端に突出する挿入部９を設けて、土台２Ａと梁２Ｂである水平構造材２に、この挿入部９を入れて連結する被嵌入部８を設けている。被嵌入部８は、土台２Ａや梁２Ｂを貫通する貫通孔とし、あるいは挿入部９を入れる凹部とすることができる。図の嵌合構造は、柱１に挿入部９を設けて水平構造材２に被嵌入部８を設けているが、柱に被嵌入部を設けて水平構造材に挿入部を設けることもできる。
【００３３】
　隅柱１Ａは、下端を土台２Ａのコーナーに、上端を梁２Ｂのコーナーに嵌合構造で連結しながら、隅継手３Ａを介して連結している。隅柱１Ａに隣接して土台２Ａと梁２Ｂに垂直に固定される中間柱１Ｂは、下端を土台２Ａに、上端を梁２Ｂに嵌合構造で連結し、かつ中間継手３Ｂを介して連結している。
【００３４】
　隅継手３Ａを図４ないし図７に示す。これ等の図に示す隅継手３Ａは、隅柱１Ａの表面に接して隅柱１Ａに連結される柱連結部３ａと、この柱連結部３ａの直角の２方向に突出するように連結されて、土台２Ａまたは梁２ＢであるＬ字状の水平構造材２を嵌入する水平構造材連結部３ｂと、柱連結部３ａと水平構造材連結部３ｂに連結されている筋かい連結部３ｃとを備える。
【００３５】
　隅継手３Ａの水平構造材連結部３ｂは、水平構造材２の水平面内における対向面に接する一対の側壁３１と、一対の側壁３１を連結する連結プレート３２とを備えている。隅柱１Ａを土台２Ａに連結する隅継手３Ａの水平構造材連結部３ｂは、図４と図６に示すように、側壁３１の上面を連結プレート３２で連結している。連結プレート３２と側壁３１とで形成されるコ字状の溝に土台２Ａを嵌入して、水平構造材連結部３ｂは土台２Ａに連結される。隅柱１Ａを梁２Ｂに連結する隅継手３Ａは、図５と図７に示すように、側壁３１の下面を連結プレート３２で連結している。連結プレート３２と側壁３１とで形成されるコ字状の溝に梁２Ｂを嵌入して、水平構造材連結部３ｂは梁２Ｂに連結される。
【００３６】
　隅継手３Ａの柱連結部３ａは、隅柱１Ａの外側に接するように、Ｌ字状に折曲された形状の外側プレート３３で構成される。Ｌ字状の柱連結部３ａは、柱１の２面に連結される。ただ、隅継手の柱連結部は、柱の１面に連結することもできる。この柱連結部は、Ｌ字状に折曲された形状でなくて平面状に形成される。図４と図５の隅継手３Ａは、一方の外側プレート３３に直角に対向プレート３４を連結している。対向プレート３４は、外側プレート３３との間を、隅柱１Ａを嵌入して連結する隙間としている。この構造の柱連結部３ａは、隅柱１Ａを貫通する止ネジ１３の両端を外側プレート３３と対向プレート３４に連結して、隅柱１Ａを強固に連結できる。ただ、隅継手３Ａの柱連結部３ａは、図６と図７に示すように、必ずしも対向プレートを設ける必要はない。この柱連結部３ａは、外側プレート３３を長くして、隅柱１Ａとの連結強度を向上できる。長い外側プレート３３は、多数の止孔１４を設け、ここに挿入する止ネジ１３でしっかりと隅柱１Ａに連結できる。
【００３７】
　隅継手３Ａの筋かい連結部３ｃは、柱連結部３ａの外側プレート３３と水平構造材連結部３ｂの一方の側壁３１に連結されている。図の隅継手３Ａは、１枚の金属板を折曲加工して、柱連結部３ａの外側プレート３３と筋かい連結部３ｃと、柱連結部３ａの一方の側壁３１としている。
【００３８】
　さらに、図４と図６に示す隅継手３Ａは、土台２Ａに柱１を嵌合構造で連結する状態で装着できるように、隅柱１Ａを土台２Ａに連結する状態で隅柱１Ａを通過させる柱通過隙間３ｄを設けている。これらの隅継手３Ａは、柱連結部３ａから一方に突出している水平構造材連結部３ｂの下方を開口して上面を連結プレート３２で閉塞し、柱連結部３ａの内側と、柱連結部３ａの他方に突出する水平構造材連結部３ｂは上下両面を開口して、土台２Ａに連結している隅柱１Ａを通過できる柱通過隙間３ｄを設けている。この柱通過隙間３ｄに、土台２Ａに固定している隅柱１Ａを通過させて、隅継手３Ａは土台２Ａと隅柱１Ａに嵌入して固定される。
【００３９】
　また、図５と図７に示す隅継手３Ａは、隅柱１Ａを梁２Ｂに嵌合構造で連結する状態で隅柱１Ａを通過させて、隅継手３Ａを梁２Ｂと隅柱１Ａに嵌合させる柱通過隙間３ｄを設けている。この隅継手３Ａは、柱連結部３ａから一方に突出している水平構造材連結部３ｂの上方を開口して下面を連結プレート３２で閉塞して、柱連結部３ａの他方に突出する水平構造材連結部３ｂは上下両面を開口して、梁２Ｂに連結している隅柱１Ａを通過できる柱通過隙間３ｄを設けている。この柱通過隙間３ｄに、梁２Ｂに固定している隅柱１Ａを通過させて、隅継手３Ａを梁２Ｂと隅柱１Ａに嵌入して固定する。
【００４０】
　隅柱１Ａに隣接して土台２Ａと梁２Ｂに垂直に固定される中間柱１Ｂは、下端を土台２Ａに、上端を梁２Ｂに、嵌合構造で連結しながら、中間継手３Ｂを介して土台２Ａと梁２Ｂに連結している。中間継手３Ｂを図８ないし図１３に示す。これ等の図に示す中間継手３Ｂは、中間柱１Ｂの表面に接して隅柱１Ａに連結される柱連結部３ａと、この柱連結部３ａの両側に突出するように連結されて、土台２Ａまたは梁２Ｂである直線状の水平構造材２を嵌入する水平構造材連結部３ｂと、柱連結部３ａと水平構造材連結部３ｂに連結されている筋かい連結部３ｃとを設けている。
【００４１】
　中間継手３Ｂの水平構造材連結部３ｂは、水平構造材２の水平面内における対向面に接する一対の側壁３１と、一対の側壁３１を連結する連結プレート３２と
を備えている。中間継手３Ｂの水平構造材連結部３ｂは、土台２Ａや梁２Ｂ等の直線部分に連結されるので、全体を直線状としている。中間柱１Ｂを土台２Ａに連結する中間継手３Ｂの水平構造材連結部３ｂは、図８と図１０と図１２に示すように、側壁３１の上面を連結プレート３２で連結している。連結プレート３２と側壁３１とで形成されるコ字状の溝に土台２Ａを嵌入して、水平構造材連結部３ｂは土台２Ａに連結される。中間柱１Ｂを梁２Ｂに連結する中間継手３Ｂは、図９と図１１と図１３とに示すように、側壁３１の下面を連結プレート３２で連結している。連結プレート３２と側壁３１とで形成されるコ字状の溝に梁２Ｂを嵌入して、水平構造材連結部３ｂは梁２Ｂに連結される。
【００４２】
　中間継手３Ｂの柱連結部３ａは、中間柱１Ｂの外側に接する外側プレート３３を備えている。さらに、図８の中間継手３Ｂは、外側プレート３３の内側に一対の対向プレート３４を固定している。一対の対向プレート３４は、外側プレート３３に対して直交すると共に、その間に中間柱１Ｂを入れることができる間隔としている。この中間継手３Ｂの柱連結部３ａは、対向プレート３４の内側に中間柱１Ｂを配設して、中間柱１Ｂを対向プレート３４に連結できる。この構造の柱連結部３ａは、中間柱１Ｂを貫通する止ネジ１３の両端を一対の対向プレート３４に連結して、中間柱１Ｂを強固に連結できる。
【００４３】
　さらに、図１２の中間継手３Ｂは、外側プレート３３の内側にＬ字状に折曲している対向プレート３４を固定している。この中間継手３Ｂは、対向プレート３４と外側プレート３３とで囲まれる部分に中間柱１Ｂを嵌入し、中間柱１Ｂを貫通する止ネジ１３の両端を外側プレート３３と対向プレート３４に連結して、中間柱１Ｂを強固に連結できる。
【００４４】
　中間柱１Ｂの柱連結部３ａは、図１０と図１１に示すように必ずしも対向プレートを設ける必要はない。この柱連結部３ａは、外側プレート３３を長くして、中間柱１Ｂとの連結強度を向上できる。長い外側プレート３３は、多数の止孔１４を設け、ここに挿入する止ネジ１３でしっかりと中間柱１Ｂに連結できる。
【００４５】
　さらに、中間継手３Ｂの筋かい連結部３ｃは、柱連結部３ａの外側プレート３３と水平構造材連結部３ｂの一方の側壁３１に連結されている。図の中間継手３Ｂは、１枚の金属板を折曲加工することなく、柱連結部３ａの外側プレート３３と筋かい連結部３ｃと、柱連結部３ａの一方の側壁３１としている。
【００４６】
　土台２Ａに連結される中間継手３Ｂは、中間柱１Ｂを土台２Ａに嵌合構造で連結する状態で中間柱１Ｂを通過させて、中間柱１Ｂを土台２Ａと中間柱１Ｂに嵌合させる柱通過隙間３ｄを設けている。図８と図１０に示す土台２Ａに連結される中間継手３Ｂは、柱連結部３ａから両側に突出する水平構造材連結部３ｂの下面を開口して上面を連結プレート３２で連結し、かつ柱連結部３ａの内側に位置する、水平構造材連結部３ｂの上下両面及び側壁３１を開口して開口部分を柱通過隙間３ｄとしている。
【００４７】
　図１２に示す土台２Ａに連結される中間継手３Ｂは、柱連結部３ａから一方（図において右上）に突出する水平構造材連結部３ｂの下面を開口して上面を連結プレート３２で連結し、柱連結部３ａの他方（図において左下）に突出する水平構造材連結部３ｂの上下両面を上下に開口して、開口部分を柱通過隙間３ｄとしている。これ等の中間継手３Ｂは、柱通過隙間３ｄに土台２Ａに固定している中間柱１Ｂを通過させて、土台２Ａと中間柱１Ｂに固定される。
【００４８】
　さらに、梁２Ｂに連結される中間継手３Ｂは、中間柱１Ｂを梁２Ｂに嵌合構造で連結する状態で中間柱１Ｂを通過させて、中間継手３Ｂを梁２Ｂと中間柱１Ｂとに嵌合できる柱通過隙間３ｄを設けている。図９と図１１に示す梁２Ｂに連結される中間継手３Ｂは、柱連結部３ａから両側に突出する水平構造材連結部３ｂの上面を開口して下面を連結プレート３２で連結し、かつ柱連結部３ａの内側に位置する、水平構造材連結部３ｂの上下両面及び側壁３１を開口して開口部分を柱通過隙間３ｄとしている。
【００４９】
　図１３に示す梁２Ｂに連結される中間継手３Ｂは、柱連結部３ａから一方（図において左下）に突出する水平構造材連結部３ｂの上面を開口して下面を連結プレート３２で連結し、柱連結部３ａの他方（図において右上）に突出する水平構造材連結部３ｂの上下両面を上下に開口して、開口部分を柱通過隙間３ｄとしている。これ等の中間継手３Ｂは、柱通過隙間３ｄに梁２Ｂに固定している中間柱１Ｂを通過させて、梁２Ｂと中間柱１Ｂに固定される。
【００５０】
　さらに、図１と図３に示すように、建物の内部に設けられる間仕切り壁６と外壁７との間にできるコーナー部の隅柱１Ａに配置される隅継手３Ａを図１４ないし図１６に示す。これ等の図に示す隅継手３Ａは、隅柱１Ａの表面に接して隅柱１Ａに連結される柱連結部３ａと、この柱連結部３ａから直角の３方向に突出するように連結されて、Ｔ字状に連結された土台２Ａまたは梁２Ｂである水平構造材２を嵌入する水平構造材連結部３ｂと、柱連結部３ａと水平構造材連結部３ｂに連結されている筋かい連結部３ｃとを備える。
【００５１】
　これらの図に示す隅継手３Ａの水平構造材連結部３ｂは、Ｔ字状に連結された土台２Ａや梁２Ｂ等の連結部に連結されるので、直角の３方向に突出してなるＴ字状としている。すなわち、これらの水平構造材連結部３ｂは、水平構造材２の直線部分に嵌入される直線連結部と、この直線連結部の内側に突出して設けられて、水平構造材２の直角連結部分が嵌入される内側連結部とで構成される。直線連結部と内側連結部とで構成される水平構造材連結部３ｂは、水平構造材２の水平面内における対向面に接する一対の側壁３１と、一対の側壁３１を連結する連結プレート３２とを備えている。隅柱１Ａを土台２Ａに連結する隅継手３Ｂの水平構造材連結部３ｂは、図１４と図１６に示すように、直線連結部に配置された２対の側壁３１の上面を連結プレート３２で連結している。さらに、この水平構造材連結部３ｂは、内側連結部の一対の側壁３１の上面を連結プレートで連結することなく、その間に土台２Ａの直角連結部分を入れることができる隙間を設けている。連結プレート３２と側壁３１とで形成されるコ字状の溝に土台２Ａの直線部分を嵌入すると共に、連結プレートを連結していない側壁３１の間に土台２Ａの直角連結部分を嵌入して、水平構造材連結部３ｂは土台２Ａに連結される。隅柱１Ａを梁２Ｂに連結する中間継手３Ｂは、図１５に示すように、直線連結部に配置された２対の側壁３１の下面を連結プレート３２で連結している。さらに、この水平構造材連結部３ｂは、内側連結部の一対の側壁３１の下面を連結プレートで連結することなく、その間に梁２Ｂの直角連結部分を入れることができる隙間を設けている。連結プレート３２と側壁３１とで形成されるコ字状の溝に梁２Ｂの直線部分を嵌入すると共に、連結プレートを連結していない側壁３１の間に梁２Ｂの直角連結部分を嵌入して、水平構造材連結部３ｂは梁２Ｂに連結される。
【００５２】
　隅継手３Ａの柱連結部３ａは、隅柱１Ａの外側に接する外側プレート３３を備えている。さらに、図１４と図１５の隅継手３Ａは、外側プレート３３の内側に一対の対向プレート３４を固定している。一対の対向プレート３４は、外側プレート３３に対して直交すると共に、その間に隅柱１Ａを入れることができる間隔としている。この構造の柱連結部３ａは、対向プレート３４の内側に隅柱１Ａを配設して、隅柱１Ａを対向プレート３４に連結できる。この柱連結部３ａは、隅柱１Ａを貫通する止ネジ１３の両端を一対の対向プレート３４に連結して、隅柱１Ａを強固に連結できる。さらに、外側プレート３３の止孔１４から隅柱１Ａに止ネジ１３をねじ込んで連結することもできる。ただ、隅継手３Ａの柱連結部３ａは、図１６に示すように、必ずしも対向プレートを設ける必要はない。この柱連結部３ａは、外側プレート３３を長くして、隅柱１Ａとの連結強度を向上できる。長い外側プレート３３は、多数の止孔１４を設け、ここに挿入する止ネジ１３でしっかりと隅柱１Ａに連結できる。
【００５３】
　さらに、これらの隅継手３Ａの筋かい連結部３ｃは、柱連結部３ａの外側プレート３３と水平構造材連結部３ｂの直線連結部の一方の側壁３１に連結されている。図の隅継手３Ａは、１枚の金属板で、柱連結部３ａの外側プレート３３と筋かい連結部３ｃと、柱連結部３ａの一方の側壁３１としている。さらに、図１４と図１５に示す隅継手３Ａは、柱連結部３ａの外側プレート３３に固定している一方の対向プレート３４と、水平構造材連結部３ｂの内側連結部の一方の側壁３１に連結して筋かい連結部３ｃを設けている。この筋かい連結部３ｃは、１枚の金属板で、対向プレート３４と筋かい連結部３ｃと側壁３１とを構成している。
【００５４】
　さらに、図１４と図１６に示す隅継手３Ａは、隅柱１Ａを土台２Ａに嵌合構造で連結する状態で隅柱１Ａを通過させて、隅継手３Ａを土台２Ａと隅柱１Ａに嵌合させる柱通過隙間３ｄを設けている。この隅継手３Ａは、柱連結部３ａから両側に突出する水平構造材連結部３ｂの直線連結部の下面を開口して上面を連結プレート３２で連結し、かつ柱連結部３ａの内側に位置する、水平構造材連結部３ｂの上下両面及び側壁３１を開口し、さらに直線連結部から内側に突出する内側連結部の上下両面を開口して、この開口部分を柱通過隙間３ｄとしている。この柱通過隙間３ｄに、土台２Ａに固定している隅柱１Ａを通過させて、隅継手３Ａは土台２Ａと隅柱１Ａに嵌入して固定される。
【００５５】
　さらに、図１５に示す隅継手３Ａは、隅柱１Ａを梁２Ｂに嵌合構造で連結する状態で隅柱１Ａを通過させて、隅継手３Ａを梁２Ｂと隅柱１Ａとに嵌合できる柱通過隙間３ｄを設けている。この図に示す梁２Ｂに連結される隅継手３Ａは、柱連結部３ａから両側に突出する水平構造材連結部３ｂの直線連結部の上面を開口して下面を連結プレート３２で連結し、かつ柱連結部３ａの内側に位置する、水平構造材連結部３ｂの上下両面及び側壁３１を開口し、さらに直線連結部から内側に突出する内側連結部の上下両面を開口して、この開口部分を柱通過隙間３ｄとしている。この柱通過隙間３ｄに、梁２Ｂに固定している隅柱１Ａを通過させて、隅継手３Ａを梁２Ｂと隅柱１Ａに嵌入して固定する。
【００５６】
　以上に示す隅継手３Ａと中間継手３Ｂは、水平構造材連結部３ｂと柱連結部３ａに止孔１４を設けている。水平構造材連結部３ｂは、対向して配設される一対の側壁３１の対向する位置に止孔１４を設けて、水平構造材２を貫通する止ネジ１３の両端を側壁３１に連結する。柱連結部３ａは、外側プレート３３と対向プレート３４とを柱１の対向面に配置できる構造にあっては、対向する位置に止孔１４を設けて、柱１を貫通する止ネジ１３の両端を外側プレート３３や対向プレート３４に連結する。
【００５７】
　筋かい連結部３ｃにも止孔１４を設けており、この止孔１４に止ネジ１３を挿通し、止ネジ１３で筋かい５を連結する。
【００５８】
　柱と水平構造材には、止ネジを挿通する位置にあらかじめ貫通孔を設けることができる。この柱や水平構造材は、貫通孔に止ネジをスムーズに挿通できる。ただ、柱や水平構造材には、必ずしも貫通孔を設ける必要はない。隅継手３Ａや中間継手３Ｂを定位置にセットする状態で、止孔１４にドリルを入れて簡単に孔を開けることができるからである。
【００５９】
　水平構造材連結部３ｂは、止ネジ１３を水平方向に貫通させて、水平構造材２を固定できるように、互いに対向する両側の側面に止孔１４を設けている。止孔１４に挿入された止ネジ１３は、水平構造材２を貫通し、あるいは水平構造材２に止ねじ込まれて、水平構造材連結部３ｂを水平構造材２に固定する。
【００６０】
　水平構造材連結部３ｂは、止孔１４を複数個設け、各々の止孔１４に止ネジ１３を挿通して、水平構造材連結部３ｂをしっかりと水平構造材２に固定できる。さらに、水平構造材連結部３ｂには、基礎４に固定しているアンカーボルト１２を挿通するための止孔１４を連結プレート３２に設けて、土台２Ａにしっかりと固定できる。
【００６１】
　図８の中間継手３Ｂは、水平構造材連結部３ｂに土台２Ａを嵌入し、土台２Ａの上面に突出するアンカーボルト１２を水平構造材連結部３ｂの連結プレート３２に設けた止孔１４に貫通させる。アンカーボルト１２は、土台２Ａと水平構造材連結部３ｂの連結プレート３２を貫通して、水平構造材連結部３ｂを土台２Ａと基礎４にしっかりと固定する。さらに、水平構造材連結部３ｂは、水平構造材連結部３ｂの側壁３１に設けた止孔１４から止ネジ１３を貫通するように挿通して、土台２Ａにボルト止することもできる。さらに、隅継手３Ａと中間継手３Ｂは、これらの２つの構造を併用して、より強固に土台２Ａに固定できる。
【００６２】
　また、水平構造材連結部３ｂと柱連結部３ａと筋かい連結部３ｃに設ける止孔１４は、スリット孔とすることができる。スリット孔は、止ネジ１３を挿通する位置を微調節できる。特に、水平構造材連結部３ｂをアンカーボルト１２と連結する止孔１４と、筋かい連結部３ｃの止孔１４は、スリット孔が有効である。アンカーボルト１２は、基礎４に埋め込まれて固定されるため、その位置が多少ズレる可能性があるからである。また、筋かい５は、隣接する継手の間隔と柱の高さによって角度が変わる。したがって、スリット孔である筋かい連結部３ｃの止孔１４は、筋かい５の角度が異なる場合においても、９０度の範囲で適用できる。
【００６３】
　図２の筋かい５は、対角線状に連結されるクロス部分に補強プレート１０を固定している。補強プレート１０は金属板である。ただ、金属板でない板材も使用できる。補強プレート１０は、連結ボルト１１で筋かい５の交点に連結される。連結ボルト１１は、２本の筋かい５が交差する部分と、補強プレート１０を貫通して、筋かい５と補強プレート１０を連結する。連結ボルト１１は先端に平ワッシャを介してナットをねじ込んで補強プレート１０を連結する。さらに、補強プレート１０を貫通する複数の釘を筋かい５に打ち込んで、筋かい５と補強プレート１０とをより強固に固定している。クロスする２本の筋かい５は、クロス部分に補強プレート１０を固定して、構造材の骨組みをより強固にできる。
【００６４】
　隅継手３Ａと中間継手３Ｂは、柱連結部３ａ、水平構造材連結部３ｂの側壁３１に、仮止め用の釘孔１５を設けることができる。釘孔１５を有するこれらの隅継手３Ａや中間継手３Ｂは、釘孔１５から柱１や水平構造材２に向かって釘を打ち込んで、隅継手３Ａと中間継手３Ｂを仮止めできる。とくに、柱１と梁２Ｂとを連結する隅継手３Ａと中間継手３Ｂは、落下しないように仮り止めできるので、能率よく施工できる。
【００６５】
　さらに、図２と図３に示す建物の壁構造は、コーナー部で互いに交差する壁に配設された中間継手３Ｂ同士を火打１７で連結している。これらの図に示す火打１７は、交差する土台２Ａ同士を中間継手３Ｂの部分で互いに連結する土台火打１７Ａと、交差する梁２Ｂ同士を中間継手３Ｂの部分で互いに連結する梁火打１７Ｂとを備える。図に示す火打１７は、木製の構造材を所定の長さに切断したもので、土台２Ａや梁２Ｂに接触する連結部分を面取り加工している。さらに、木製の火打１７は、両端部に連結孔を貫通して開口しており、この連結孔に挿通される連結ボルト１１を介して中間継手３Ｂに連結している。この連結ボルト１１には、中間継手３Ｂを土台２Ａや梁２Ｂに連結する連結ボルト１１が併用できる。この連結ボルト１１には、土台２Ａや梁２Ｂと火打１７とを貫通できる十分な長さのものを使用する。火打１７は、たとえば、中間継手３Ｂの水平構造材連結部３ｂの側壁３１に連結される。ただ、火打は、図示しないが、金属製の金物火打とすることもできる。金物火打は、両端に、中間継手に連結される連結片を設けて、この連結片に開口した連結孔に連結ボルトを挿通して中間継手を介して土台や梁に連結される。このように、コーナー部を形成する壁の土台２Ａや梁２Ｂを火打１７で連結する構造は、ねじれ応力に対する強度を向上でき、極めて強靭な構造とすることができる。
【００６６】
　以上の建物は、以下の工程で施工される。
［柱１を土台２Ａと梁２Ｂに嵌合構造で連結する建前工程］
(1)　柱１と土台２Ａと梁２Ｂとを、嵌合構造で連結できるように切削加工する。図は、柱１に挿入部９を設けて、土台２Ａと梁２Ｂに挿入部９を嵌合する貫通孔や凹部からなる被嵌入部８を設けるように加工している。
(2)　柱１の下端を土台２Ａに嵌合構造で連結する。柱１は、下端に設けている挿入部９を、土台２Ａの上面に開口するように設けている貫通孔や凹部等の被嵌入部８に入れて土台２Ａに連結するので、定位置に能率よく連結される。。
(3)　柱１の上端に梁２Ｂを嵌合構造で連結する。柱１の上端に設けている挿入部９に、梁２Ｂに設けている貫通孔や凹部等の被嵌入部８を入れて、柱１と梁２Ｂとを連結するので、柱１と梁２Ｂは位置ずれしないように連結される。
【００６７】
［隅継手と中間継手を連結する工程］
(1)　土台２Ａのコーナー部に隅継手３Ａを固定する。このとき隅継手３Ａは、土台２Ａに固定している柱１を柱通過隙間３ｄに通過させて、土台２Ａと柱１の定位置にセットされる。
(2)　土台２Ａに連結している中間柱１Ｂと土台２Ａとに中間継手３Ｂを固定する。中間継手３Ｂは、土台２Ａに固定している柱１を柱通過隙間３ｄに通過させて、土台２Ａと柱１の定位置にセットされる。
(3)　梁２Ｂのコーナー部に隅継手３Ａを固定する。このとき隅継手３Ａは、梁２Ｂに固定している柱１を柱通過隙間３ｄに通過させて、梁２Ｂと柱１の定位置にセットされる。定位置にセットされた隅継手３Ａは、釘孔１５に釘を打ち込んで仮止めされる。
(4)　梁２Ｂに連結している中間柱１Ｂと梁２Ｂとに中間継手３Ｂを固定する。中間継手３Ｂは、梁２Ｂに固定している柱１を柱通過隙間３ｄに通過させて、梁２Ｂと柱１の定位置にセットされる。定位置にセットされた隅継手３Ａは、釘孔１５に釘を打ち込んで仮止めされる。
(5)　上下の隅継手３Ａと中間継手３Ｂとの筋かい連結部３ｃに筋かい５を連結する。筋かい５は、筋かい連結部３ｃの止孔１４に挿通される止ネジ１３で連結されるが、止ネジ１３は完全には締め付けしない。柱１の垂直調整をするためである。止ネジ１３は大きな木ネジで、止孔１４から筋かい５にねじ込まれて、筋かい５を筋かい連結部３ｃに連結する。
(6)　土台２Ａと梁２Ｂとを交差するように引張連結具で連結し、引張連結具で柱１が正確に垂直になるように調整する。この工程は、全ての木造建物においてすでに行われてる工程である。
(7)　柱１を垂直に調整した後、隅継手３Ａと中間継手３Ｂの止孔１４に止ネジ１３を入れて、隅継手３Ａと中間継手３Ｂとを土台２Ａと柱１と梁２Ｂとに連結して固定し、さらに、筋かい連結部３ｃにねじ込んでいる止ネジ１３を完全に締め付けて固定する。止ネジ１３は、図１７に示すように、柱１や水平構造材２等の構造材を貫通し、両端を止孔１４に挿通してしっかりと連結される。この止ネジ１３にはボルトが使用でき、ボルトは止孔１４と構造材とを貫通して先端にナット１６をねじ込んで固定される。さらに、止ネジ１３は、図１８に示すように、止孔１４から構造材に向かってねじ込まれる大きな木ネジとすることもできる。大きな木ネジは、柱１や水平構造材２等に中心部分までねじ込まれる長さを有し、太い部分の直径を約１０ｍｍとするものである。ただ、木ネジである止ネジは、小さいものを多数に柱や水平構造材にねじ込んで連結することもできる。
【００６８】
　以上の施工工程は、新築建物の構築方法であるが、本考案の建物の構築方法は、耐震強度が向上するように改築するのにも適している。建物の改築には、隅継手３Ａと中間継手３Ｂとを固定できるように外壁７を除去する。その後の工程は、前述の［隅継手と中間継手を連結する工程］の工程と同じである。建物の改築時には、外部からの施工が可能であるため、建物の内部で生活をしながら補強できる特長がある。
【図面の簡単な説明】
【００６９】
【図１】本考案の一実施例にかかる建物の躯体構造を示す概略斜視図
【図２】図１に示す建物のコーナー部の壁構造を示す斜視図
【図３】図１に示す建物の間仕切り壁連結部分の壁構造を示す斜視図
【図４】Ｌ字状のコーナー部の土台と隅柱と隅継手の連結構造の一例を示す分解斜視図
【図５】Ｌ字状のコーナー部の梁と隅柱と隅継手の連結構造の一例を示す分解斜視図
【図６】Ｌ字状のコーナー部の土台と隅柱と隅継手の連結構造の他の一例を示す分解斜視図
【図７】Ｌ字状のコーナー部の梁と隅柱と隅継手の連結構造の他の一例を示す分解斜視図
【図８】Ｌ字状のコーナー部の土台と隅柱と隅継手の連結構造の他の一例を示す分解斜視図
【図９】Ｌ字状のコーナー部の梁と隅柱と隅継手の連結構造の他の一例を示す分解斜視図
【図１０】直線状の土台と中間柱と中間継手の連結構造の一例を示す分解斜視図
【図１１】直線状の梁と中間柱と中間継手の連結構造の一例を示す分解斜視図
【図１２】直線状の土台と中間柱と中間継手の連結構造の他の一例を示す分解斜視図
【図１３】直線状の梁と中間柱と中間継手の連結構造の他の一例を示す分解斜視図
【図１４】Ｔ字状のコーナー部の土台と隅柱と隅継手の連結構造の一例を示す分解斜視図
【図１５】Ｔ字状のコーナー部の梁と隅柱と隅継手の連結構造の一例を示す分解斜視図
【図１６】Ｔ字状のコーナー部の土台と隅柱と隅継手の連結構造の他の一例を示す分解斜視図
【図１７】継手を止ネジで柱や水平構造材に連結する一例を示す拡大断面図
【図１８】継手を止ネジで柱や水平構造材に連結する他の一例を示す拡大断面図
【符号の説明】
【００７０】
　　１…柱　　　　　　　　１Ａ…隅柱　　　　　　　１Ｂ…中間柱
　　２…水平構造材　　　　２Ａ…土台　　　　　　　２Ｂ…梁
　　３…継手　　　　　　　３Ａ…隅継手　　　　　　３Ｂ…中間継手
　　　　　　　　　　　　　３ａ…柱連結部　　　　　３ｂ…水平構造材連結部
　　　　　　　　　　　　　３ｃ…筋かい連結部　　　３ｄ…柱通過隙間
　　４…基礎
　　５…筋かい
　　６…間仕切り壁
　　７…外壁
　　８…被嵌入部
　　９…挿入部
　１０…補強プレート
　１１…連結ボルト
　１２…アンカーボルト
　１３…止ネジ
　１４…止孔
　１５…釘孔
　１６…ナット
　１７…火打　　　　　　１７Ａ…土台火打　　　　１７Ｂ…梁火打
　３１…側壁
　３２…連結プレート
　３３…外側プレート
　３４…対向プレート
【図１】
0003099307.tif 000003
【図２】
0003099307.tif 000004
【図３】
0003099307.tif 000005
【図４】
0003099307.tif 000006
【図５】
0003099307.tif 000007
【図６】
0003099307.tif 000008
【図７】
0003099307.tif 000009
【図８】
0003099307.tif 000010
【図９】
0003099307.tif 000011
【図１０】
0003099307.tif 000012
【図１１】
0003099307.tif 000013
【図１２】
0003099307.tif 000014
【図１３】
0003099307.tif 000015
【図１４】
0003099307.tif 000016
【図１５】
0003099307.tif 000017
【図１６】
0003099307.tif 000018
【図１７】
0003099307.tif 000019
【図１８】
0003099307.tif 000020